(57)【要約】【課題】炊飯器内部の異常昇温を感知して通電を遮断する温度ヒューズを、独立した取付け部材を用いることなく取付けることにより、部品点数の減少を図ることである。【解決手段】炊飯器本体１の外ケース８の内側にＩＨコイル等の加熱装置を装着した内ケース９を設け、その内ケース９の外周面に温度ヒューズ３５を接触させ、上記外ケース８と内ケース９との間にコードリール１５を取付けてなる炊飯器において、上記コードリール１５に被せたコードリールカバー２５の内側カバー部２７に上記温度ヒューズ３５を取付け、該温度ヒューズ３５を上記内ケース９の外面に押し当てた構成とした。【選択図】　図１
2004089432.tif 000002
【特許請求の範囲】
【請求項１】
炊飯器本体の外ケースの内側に加熱装置を装着した内ケースを設け、その内ケースの外周面に温度ヒューズを接触させ、上記外ケースと内ケースとの間にコードリールを取付けてなる炊飯器において、上記コードリールに被せたコードリールカバーの内面カバー部に上記温度ヒューズを取付け、該温度ヒューズを上記内ケース外面に押し当てたことを特徴とする炊飯器の温度ヒューズ取付け構造。
【請求項２】
上記コードリールカバーの内面カバー部に左右一対の取付け用爪片を設けるとともに、その取付け用爪片の間に弾性片を設け、上記温度ヒューズの両端部を上記左右一対の取付け用爪片と内面カバー部との間で挟持するとともに、その温度ヒューズの中間部を上記弾性片の弾力により上記内ケース外面に押し当てたことを特徴とする請求項１に記載の炊飯器の温度ヒューズ取付け構造。
【請求項３】
上記コードリールカバーは、上記内面カバー部の反対側に外面カバー部を有し、その外面カバー部が該コードリールの電源端子をカバーすることにより、該電源端子と上記外ケースとの間の絶縁を図ることを特徴とする請求項１又は２に記載の炊飯器の温度ヒューズ取付け構造。
【請求項４】
上記加熱装置がＩＨコイルであり、上記内ケースが該ＩＨコイルを装着した下部内ケースと上部内ケースとからなり、上記温度ヒューズを該上部内ケースの外面に押し当てたことを特徴とする請求項１から３のいずれかに記載の炊飯器の温度ヒューズ取付け構造。
【発明の詳細な説明】
【０００１】
【発明の属する技術分野】
この発明は、炊飯器（炊飯ジャ−を含む）の温度ヒューズ取付け構造に関するものである。
【０００２】
【従来の技術】
一般に、電気炊飯器は炊飯器本体に蓋を開閉自在に取付けた構成をなし、その炊飯器本体は、外郭となる外ケースの内部に内ケースを設け、ヒーター又はＩＨコイルからなる加熱装置をその内ケースに装着し、該内ケースの凹部に鍋を着脱自在に収納するようになっている。また、安全対策として内ケースの外周面に温度ヒューズを接触してその温度を感知させ、何らかの原因で内ケースが異常昇温した場合に通電を強制的に遮断することが行われている（例えば、実公昭６３−２９４５６号公報、特公平７−３８８２５号公報参照）。その温度ヒューズは、内ケースの外面にリベットやねじ等により固定された金属製の取付け具の溝部に挟持される。
【０００３】
また、炊飯器の外ケースと内ケースとの間にコードリールを収納し、電源コードをその内部のゼンマイの弾力により巻取り、炊飯器の使用時にその電源コードを引出して使用するようにすることも従来から行われている（例えば、特開２０００−５０５１号公報参照）。
【０００４】
【解決しようとする課題】
従来の場合は、前掲の特許文献に見られるように、温度ヒューズを内ケースに接触させその温度を感知させるために、独立した取付け具が必要であったため、部品点数が増加する一つの要因になっていた。また、従来の炊飯器におけるコードリールは、前記の温度ヒューズの取付け構造とは何ら関係をもつことなく収納されていた。
【０００５】
そこで、この発明は、コードリールと温度ヒューズとを関連付けることにより、温度ヒューズの取付け具を用いることなく内ケースに接触させ温度を感知させるようにすることを課題とする。
【０００６】
【課題を解決するための手段】
上記の課題を解決するために、この発明は、炊飯器本体の外ケースの内側に加熱装置を装着した内ケースを設け、その内ケースの外周面に温度ヒューズを接触させ、上記外ケースと内ケースとの間にコードリールを取付けてなる炊飯器において、上記コードリールに被せたコードリールカバーの内面カバー部に上記温度ヒューズを取付け、該温度ヒューズを上記内ケース外面に押し当てた構成を採用した。
【０００７】
上記の構成によると、温度ヒューズはコードリールカバーに取付けられ、そのコードリールを内ケースに接近して取付けることにより、該温度ヒューズを内ケースに接触させることができる。
【０００８】
上記温度ヒューズの取付け構造の具体的な構造としては、上記コードリールカバーの内面カバー部に左右一対の取付け用爪片を設けるとともに、その取付け用爪片の間に弾性片を設け、上記温度ヒューズの両端部を上記左右一対の取付け用爪片と内面カバー部との間で挟持するとともに、その温度ヒューズの中間部を上記弾性片の弾力により上記内ケース外面に押し当てた構成を採用することができる。弾性片の弾力を与えることにより、温度ヒューズは内ケースに対し密着される。
【０００９】
また、上記コードリールカバーは、上記内面カバー部の反対側に外面カバー部を有し、その外面カバー部が該コードリールの電源端子をカバーすることにより、該電源端子と上記外ケースとの間の絶縁を図るようにした構成を採ることができる。この構成によると、コードリールカバーが単に温度ヒューズの保持部材としての機能だけではなく、絶縁部材としての機能を果たすことができるものである。言い替えれば、絶縁機能を果たすためのコードリールカバーを利用して温度ヒューズを保持させたということもできる。
【００１０】
なお、上記加熱装置がＩＨコイルであり、上記内ケースが該ＩＨコイルを装着した下部内ケースと上部内ケースとからなり、上記温度ヒューズを該上部内ケースの外面に押し当てた構成を採ることができる。
【００１１】
【発明の実施形態】
以下、添付図面に基づいてこの発明の実施形態を説明する。図１に示したＩＨタイプの炊飯器は、炊飯器本体１と、これに対しヒンジ軸２により開閉自在に取付けられた蓋３を有する。炊飯器本体１の両側面にＵ字形のハンドル４の両端部が取付けられる。
【００１２】
炊飯器本体１は、胴部材５、底部材６及び肩部材７からなる外ケース８と、その内側に設けられた内ケース９とを有する。内ケース９は浅い椀形の下部内ケース１１と、その上部に設けられた上部内ケース１２とからなる。下部内ケース１１の下面にＩＨコイル１３（図２参照）、その磁束漏洩防止用のフェライト部材１４等が装着される。上記の内ケース９の内側の凹部に炊飯鍋１０が着脱自在に収納される。
【００１３】
上記の炊飯器本体１の後部、即ちヒンジ軸２の下方において、外ケース８と内ケース９との間にコードリール１５が取付けられる。図２は、炊飯器本体１の組立工程における場合と同様に、上下を反転した分解状態で示している。但し、以下の説明において上下関係を示す必要がある場合は、図１の正立状態における上下関係を基準とする。
【００１４】
コードリール１５は、図３（ａ）（ｂ）に示すように、扁平な金属製円形のリールケース１７に内部のゼンマイばねにより電源コードを巻き込んだものであり、その電源プラグ１８がコードリール１５の底部から側方に向けて突き出している。リールケース１７の外側面に設けられた中心ボス部１９に一対の電源端子２１、２１が突き出して設けられ、その電源端子２１、２１に電源リード線２０、２０が接続される（図４（ａ）参照）。また、リールケース１７の外周面の２箇所、即ち、両側面と、底面にそれぞれ突片２２、２３、２４が設けられる。
【００１５】
上記のコードリール１５にコードリールカバー２５が被せられる。このコードリールカバー２５は、合成樹脂（例えば、ＰＥＴ＋ＰＣ、難燃グレード）からなり、前記の電源端子２１側をカバーする外側カバー部２６、その反対側をカバーする内側カバー部２７、および底部から両側部に渡る外周面をカバーする周面カバー部２８からなり下面が開放されている。外側カバー部２６と、周面カバー部２８は、コードリール１５の上端部から電源端子２１を含む範囲をカバーできる大きさに形成され、その周面カバー部２８に一端部が下方に開放されたスリット２９が設けられる。また、周面カバ−部２８の上端に一対の取付け用の突起３１、３１が角状に設けられる。なお、前記の外側カバー部２６は、電源端子２１をカバーする必要から外方に膨出した部分を有する。
【００１６】
また、内側カバー部２７は外側カバー部２６の半分程度の大きさに形成される（図３（ｂ）参照）。この内側カバー部２７の下端辺の中央部部分に左右一対の切込み３２、３２により切離された弾性片３３が該内側カバー部２７の面より若干立ち上がって形成され、所要の弾性を有する。また、その弾性片３３の両側の内側カバー部２７に左右一対の取付け用爪片３４，３４が設けられる。各取付け用爪片３４は、内側カバー部２７の面に沿って９０°屈曲して立ち上がり、所要の弾性を有する。
【００１７】
上記のコードリールカバー２５は、コードリール１５のほぼ上半分に被せられ、外側カバー部２６により電源端子２１が突き出した外面側をカバーする。また、突起２２がスリット２９に嵌入される。
【００１８】
また、図４（ａ）（ｂ）に示すように、前記取付け用爪片３４、３４の上端と内側カバー部２７との間のすき間に温度ヒューズ３５を収納した保護チューブ３６の両端部を挟み、すき間の下端部まで押下げるとともに、弾性片３３を若干内方へ弾性変形させた状態に取付ける。
【００１９】
コードリール１５、コードリールカバー２５及び温度ヒューズ３５を上記のように組み合わせた状態で、胴部材５の後端面５ａと内ケース９との間の収納部３７にその下方から差し込み、その収納部３７の奥所の差込み穴３８、３８に前記の突起３１、３１を差し込む。これにより、保護チューブ３６を介して温度ヒューズ３５が上部内ケース１２の外面に前記弾性片３３の弾力により押し当てられ密着される。
【００２０】
組立工程の最後に底部材６が胴部材５の開放面に被せられる。このとき、コードリール１５の突片２４が底部材６の穴３９に差し込まれる。また、電源プラグ１８をプラグ穴４０に差し込んだのちに底部材６を固定する。
【００２１】
実施形態の炊飯器は以上のようなものであり、コードリール１５から引き出した電源コードを通じてＡＣ電源を供給し炊飯を行う。この場合、何らかの原因で内ケース９が異常昇温すると、これを感知して温度ヒューズ３５が溶断され、通電を強制的に遮断する。
【００２２】
また、コードリールカバー２５の外面カバー部２６は、コードリール１５の電源端子２１と外ケース８間に介在することにより、絶縁性及び難燃性を高める作用をなす。
【００２３】
【発明の効果】
以上のように、この発明によると、絶縁性及び難燃性を高めるために設けられたコードリールカバーを利用して温度ヒューズを取付けるようにしたので、独立した取付け部材が不要となり、部品点数が減少する効果がある。また、その温度ヒューズをコードリールカバーに設けた一対の取付け用爪片により取付けるとともに、弾性片の弾力により該温度ヒューズを内ケースに押し当てるようにしたので、これを内ケースに密着させることができる。
【図面の簡単な説明】
【図１】実施形態の断面図
【図２】同上の分解斜視図
【図３】（ａ）同上のコードリールの分解斜視図
（ｂ）同上のコードリールカバーの斜視図
【図４】（ａ）同上のコードリール部分の断面図
（ｂ）（ａ）図のｂ−ｂ線の断面図
【符号の説明】
１　炊飯器本体
２　ヒンジ軸
３　蓋
４　ハンドル
５　胴部材
５ａ　後端面
６　底部材
７　肩部材
８　外ケース
９　内ケース
１０　炊飯鍋
１１　下部内ケース
１２　上部内ケース
１３　ＩＨコイル
１４　フェライト部材
１５　コードリール
１７　リールケース
１８　電源プラグ
１９　中心ボス部
２０　電源リード線
２１　電源端子
２２　突片
２３　突片
２４　突片
２５　コードリールカバー
２６　外側カバー部
２７　内側カバー部
２８　外周カバー部
２９　スリット
３１　突起
３２　切込み
３３　弾性片
３４　取付け用爪片
３５　温度ヒューズ
３６　保護チューブ
３７　収納部
３８　差込み部
３９　穴
４０　プラグ穴
【図１】
2004089432.tif 000003
【図２】
2004089432.tif 000004
【図３】
2004089432.tif 000005
【図４】
2004089432.tif 000006